(57)【要約】【課題】ログ情報を生成して送信するネットワーク機器と、ネットワーク機器から送信されたログ情報を記憶部に記憶する画像処理装置とを備えたネットワーク通信システムにおいて、不要なログが保存又は転送される不都合を防止する。【解決手段】画像処理装置は、状態通知部により、ネットワーク機器に対して、画像処理装置の状態通知を行う。ネットワーク機器の処理モード変更部は、画像処理装置から受信した状態通知に基づいて、ログ情報の処理モードを変更する。これにより、画像処理装置からネットワーク機器に対して指定した処理モードで、ログ情報の受信を行うことができ、不要なログが保存され又は転送される不都合を防止することができる。【選択図】図１５
2020149245.tif 000002
【特許請求の範囲】
【請求項１】
ログ情報を生成するログ情報生成部と、
前記ログ情報を記録する機器から指定された状態通知を取得する取得部と、
取得された前記状態通知に基づいて、前記ログ情報生成部における前記ログ情報の処理モードを変更する処理モード変更部と、
変更された前記処理モードに基づいて前記ログ情報生成部で生成された前記ログ情報を前記機器に送信する送信部と
を有するネットワーク機器。
【請求項２】
前記処理モード変更部は、前記機器からの前記状態通知に基づいて、ログ情報詳細レベルの変更又はログ情報の送信量の変更を行うこと
を特徴とする請求項１に記載のネットワーク機器。
【請求項３】
前記状態通知は、セキュリティレベルの変更通知、又は、ログレベルの変更通知であること
を特徴とする請求項１又は請求項２に記載のネットワーク機器。
【請求項４】
前記処理モード変更部は、前記状態通知に基づいて、前記機器に送信する前記ログ情報の送信頻度を変更すること
を特徴とする請求項１から請求項３のうち、いずれか一項に記載のネットワーク機器。
【請求項５】
前記送信部は、前記ログ情報の送信頻度が低く設定されている場合において、ログ情報を記憶する記憶部の記憶領域の残量が所定の残量以下となった場合には、前記機器に対して前記ログ情報の送信を行うこと
を特徴とする請求項１から請求項４のうち、いずれか一項に記載のネットワーク機器。
【請求項６】
前記送信部は、前記ログ情報の送信頻度が高く設定されている場合において、所定のデータを前記機器に送信している間は、前記機器に対する前記ログ情報の転送を停止すること
を特徴とする請求項１から請求項５のうち、いずれか一項に記載のネットワーク機器。
【請求項７】
前記送信部は、前記機器からログ情報送信停止通知を受信することで、前記機器に対する前記ログ情報の送信を停止すること
を特徴とする請求項１から請求項６のうち、いずれか一項に記載のネットワーク機器。
【請求項８】
請求項１から請求項７のうち、いずれか一項に記載のネットワーク機器と、
前記ネットワーク機器から送信されたログ情報を記録する機器と
を有するネットワーク通信システム。
【請求項９】
コンピュータを、
ログ情報を生成するログ情報生成部と、
前記ログ情報を記録する機器から指定された状態通知を取得する取得部と、
取得された前記状態通知に基づいて、前記ログ情報生成部における前記ログ情報の処理モードを変更する処理モード変更部と、
変更された前記処理モードに基づいて前記ログ情報生成部で生成された前記ログ情報を前記機器に送信する送信部として機能させること
を特徴とするネットワーク通信制御プログラム。
【発明の詳細な説明】
【技術分野】
【０００１】
本発明は、ネットワーク機器、ネットワーク通信システム、及び、ネットワーク制御プログラムに関する。
【背景技術】
【０００２】
今日において、例えばネットワーク機器、画像形成装置又は情報機器等において、動作又は処理のログ情報を記録することは有用である。すなわち、ログ情報を記録することで、例えば「不正アクセスの記録による発見後の原因究明」又は「ネットワーク障害の切り分け」等に用いることができる。
【０００３】
また、ログ情報を記録することで、情報処理装置のメーカ側は、ログ情報を後からトレースして情報処理装置の不具合の検証等を行うことができる。また、不正アクセスの記録及び機器の負荷情報を、メーカ側から顧客に通知することで、顧客に対して有用な情報を提供できる。
【０００４】
ログ情報の記録形態としては、例えば情報処理装置からサーバ装置等の他の処理装置にログ情報を送信し、サーバ装置でログ情報の記録を行う記録形態が知られている。また、画像形成装置に密に接続するネットワーク機器が、画像形成装置にログ情報を転送する技術が知られている。
【０００５】
また、特許文献１（特開２００２−１４９３８０号公報）には、少ないデータ量でログデータの記録を可能とし、問題発生時には、早急に対処可能なログデータ記録装置が開示されている。このログデータ記録装置は、ログ記録部が、コントローラとプリンタ本体の制御部との間で通信される通信情報、及び、搬送機構からの搬送情報を含む制御情報を監視する。そして、制御情報が発生した時刻をタイマから取得してログデータを生成し、常時記録メモリへ予め定めた順序で記録する。
【０００６】
ログパターン判別部は、常時記録メモリに記録されたログデータがログパターン格納部に格納された予め設定されたログストア条件に一致するか否かを判断し、一致する場合にログデータを退避記録メモリへ退避させる。これにより、少ないデータ量でログデータの記録を可能とすることができ、また、問題発生時には、早急に対処可能とすることができる。
【発明の概要】
【発明が解決しようとする課題】
【０００７】
しかし、従来のログ情報の保存手法及び転送手法では、機器の状態を考慮することなくログ情報の保存又は転送が行われていたため、不要なログが保存又は転送される不都合を生じていた。
【０００８】
本発明は、上述の課題に鑑みてなされたものであり、不要なログが保存又は転送される不都合を防止できるようなネットワーク機器、ネットワーク通信システム、及び、ネットワーク制御プログラムの提供を目的とする。
【課題を解決するための手段】
【０００９】
上述した課題を解決し、目的を達成するために、本発明は、ログ情報を生成するログ情報生成部と、ログ情報を記録する機器から指定された状態通知を取得する取得部と、取得された状態通知に基づいて、ログ情報生成部におけるログ情報の処理モードを変更する処理モード変更部と、変更された処理モードに基づいてログ情報生成部で生成されたログ情報を機器に送信する送信部とを有する。
【発明の効果】
【００１０】
本発明によれば、不要なログが保存又は転送される不都合を防止できるという効果を奏する。
【図面の簡単な説明】
【００１１】
【図１】図１は、実施の形態のネットワーク通信システムのシステム構成を示す図である。
【図２】図２は、電子黒板のハードウェア構成を示す図である。
【図３】図３は、液体吐出装置（インクジェットプリンタ装置）のハードウェア構成を示す図である。
【図４】図４は、携帯端末のハードウェア構成を示す図である。
【図５】図５は、サーバ装置のハードウェア構成を示す図である。
【図６】図６は、全天球撮影装置のハードウェア構成を示す図である。
【図７】図７は、ビデオ会議端末のハードウェア構成を示す図である。
【図８】図８は、プロジェクタ装置のハードウェア構成を示す図である。
【図９】図９は、ＭＦＰのハードウェア構成を示す図である。
【図１０】図１０は、ＭＦＰのネットワーク接続構成を示す図である。
【図１１】図１１は、ＭＦＰ及び通信制御ボックスの機能ブロック図である。
【図１２】図１２は、通信制御ボックスの基本設定画面の一例を示す図である。
【図１３】図１３は、通信制御ボックスのサーバ設定画面の一例を示す図である。
【図１４】図１４は、通信制御ボックスのモード選択・確認画面の一例を示す図である。
【図１５】図１５は、ログ情報の処理モードの設定からログ情報の記録までの流れを示すフローチャートである。
【発明を実施するための形態】
【００１２】
以下、添付図面を参照して、実施の形態のネットワーク通信システムの説明をする。
【００１３】
（システム構成）
図１は、実施の形態のネットワーク通信システム１のシステム構成を示す図である。この図１に示すように、実施の形態のネットワーク通信システム１は、電子黒板２、液体吐出装置（インクジェットプリンタ装置）３、スマートフォン等の携帯端末装置４、デスクトップ型又はノート型のパーソナルコンピュータ装置５及び全天球撮影装置６を有している。また、実施の形態のネットワーク通信システム１は、ビデオ会議端末装置７、プロジェクタ装置８、複合機（ＭＦＰ：Multifunction  Peripheral）９及びサーバ装置１０を有している。ＭＦＰ９は、例えばコピー機能とスキャナ機能等のように、複数の画像形成機能を備えた機器である。電子黒板２〜サーバ装置１０は、無線ネットワーク、ＬＡＮ（Local  Area  Network）、インターネット等の、所定の通信ネットワーク１００を介して相互に接続されている。
【００１４】
（電子黒板のハードウェア構成）
図２は、電子黒板２のハードウェア構成を示す図である。この図２に示すように、電子黒板２は、ＣＰＵ(Central  Processing  Unit)２０１、ＲＯＭ(Read  Only  Memory)２０２、ＲＡＭ(Random  Access  Memory)２０３、ＳＳＤ(Solid  State  Drive)２０４、ネットワークＩ／Ｆ(Interface)２０５、及び、外部機器接続Ｉ／Ｆ２０６を備えている。
【００１５】
これらのうち、ＣＰＵ２０１は、電子黒板２全体の動作を制御する。ＲＯＭ２０２は、ＩＰＬ(Initial  Program  Loader)等のＣＰＵ２０１の駆動に用いられるプログラムを記憶する。ＲＡＭ２０３は、ＣＰＵ２０１のワークエリアとして使用される。ＳＳＤ２０４は、電子黒板用のプログラム等の各種データを記憶する。
【００１６】
ネットワークＩ／Ｆ２０５は、通信ネットワーク１００との間の通信を制御する。外部機器接続Ｉ／Ｆ２０６は、各種の外部機器を接続するためのインタフェースである。この場合の外部機器は、例えば、ＵＳＢ(Universal  Serial  Bus)メモリ２３０、外付け機器（マイクロホン部２４０、スピーカ部２５０、カメラ部２６０）である。
【００１７】
また、電子黒板２は、キャプチャデバイス２１１、ＧＰＵ（Graphics  Processing  Unit）２１２、ディスプレイコントローラ２１３、接触センサ２１４、センサコントローラ２１５、電子ペンコントローラ２１６、近距離通信回路２１９、近距離通信回路２１９のアンテナ２１９ａ、電源スイッチ２２２及び選択スイッチ類２２３を備えている。
【００１８】
これらのうち、キャプチャデバイス２１１は、外部接続されるパーソナルコンピュータ装置ＰＣ(Personal  Computer)２７０のディスプレイに対して、静止画像又は動画像を表示する。ＧＰＵ２１２は、グラフィクスを専門に扱う半導体チップである。ディスプレイコントローラ２１３は、ＧＰＵ２１２からの出力画像をディスプレイ２８０等へ出力するために画面表示の制御及び管理を行う。
【００１９】
接触センサ２１４は、電子ペン２９０又はユーザの手Ｈ等で行われるディスプレイ２８０の接触操作を検出する。センサコントローラ２１５は、接触センサ２１４の処理を制御する。接触センサ２１４は、赤外線遮断方式による座標の入力及び座標の検出を行う。座標の入力及び座標の検出を行う場合、ディスプレイ２８０の上側両端部に設置された２つの受発光装置の発光素子が、ディスプレイ２８０に対して平行に複数の赤外線を出射する。各受発光装置の受光素子は、ディスプレイ２８０の周囲に設けられた反射部材により反射され、発光素子が発光した光の光路と同一の光路上を戻る光を受光する（赤外線遮断方式）。
【００２０】
接触センサ２１４は、電子ペン２９０又はユーザの手Ｈ等の物体により遮断された２つの受発光装置が放射した赤外線識別番号（赤外線ＩＤ）をセンサコントローラ２１５に供給する。センサコントローラ２１５は、供給された赤外線ＩＤに基づいて、物体の接触位置である座標位置を特定する。電子ペンコントローラ２１６は、電子ペン２９０と通信することで、ディスプレイ２８０へのペン先のタッチ又はペン尻のタッチの有無を判断する。
【００２１】
近距離通信回路２１９は、ＮＦＣ(Near  Field  Communication)又はＢｌｕｅｔｏｏｔｈ（登録商標）等の通信回路である。電源スイッチ２２２は、電子黒板２の電源のＯＮ／ＯＦＦを切り換えるためのスイッチである。選択スイッチ類２２３は、例えばディスプレイ２８０の表示の明暗や色合い等を調整するためのスイッチ群である。また、電子黒板２は、バスライン２１０を備えている。バスライン２１０は、図２に示すＣＰＵ２０１等の各構成要素を電気的に接続するためのアドレスバス又はデータバス等である。
【００２２】
なお、接触センサ２１４は、赤外線遮断方式に限らず、静電容量の変化を検知することにより接触位置を特定する静電容量方式、対向する２つの抵抗膜の電圧変化によって接触位置を特定する抵抗膜方式、接触物体が表示部に接触することによって生じる電磁誘導を検知して接触位置を特定する電磁誘導方式等、種々の検出方式を用いることができる。また、電子ペンコントローラ２１６が、電子ペン２９０のペン先及びペン尻だけでなく、電子ペン２９０のユーザが握る部分、又は、その他の電子ペンの部分のタッチの有無を判断してもよい。
【００２３】
（液体吐出装置のハードウェア構成）
図３は、液体吐出装置３（インクジェットプリンタ装置）のハードウェア構成を示す図である。この図３に示すように、液体吐出装置３は、ＣＰＵ３０１、ＲＯＭ３０２、ＲＡＭ３０３、ＮＶＲＡＭ(Non-Volatile  Random  Access  Memory)３０４、外部機器接続Ｉ／Ｆ３０８、ネットワークＩ／Ｆ３０９、及びバスライン３１０を備えている。また、液体吐出装置３は、紙搬送部３１１、副走査ドライバ３１２、主走査ドライバ３１３、キャリッジ３２０、及び操作パネル３３０を備えている。更に、キャリッジ３２０は、液体吐出ヘッド３２１、及び液体吐出ヘッドドライバ３２２を備えている。
【００２４】
ＣＰＵ３０１は、液体吐出装置３全体の動作を制御する。ＲＯＭ３０２は、ＩＰＬ等のＣＰＵ３０１の駆動に用いられるプログラム等を記憶する。ＲＡＭ３０３は、ＣＰＵ３０１のワークエリアとして使用される。ＮＶＲＡＭ３０４は、プログラム等の各種データを記憶し、液体吐出装置３の電源が遮断されている間も各種データを保持する。外部機器接続Ｉ／Ｆ３０６は、ＵＳＢケーブル等により、パーソナルコンピュータ装置（ＰＣ）に接続され、ＰＣとの間で、制御信号や印刷されるデータの通信を行う。ネットワークＩ／Ｆ３０９は、インターネット等の通信ネットワーク１００を介してデータ通信を行うためのインタフェースである。バスライン３１０は、ＣＰＵ３０１等の各構成要素を電気的に接続するためのアドレスバス又はデータバス等である。
【００２５】
紙搬送部３１１は、例えばローラ及びローラを駆動するモータであって、液体吐出装置３内の搬送経路に沿って副走査方向へ印刷用紙を搬送する。副走査ドライバ３１２は、紙搬送部３３３の副走査方向への移動を制御する。主走査ドライバ３１３は、キャリッジ３２０の主走査方向への移動を制御する。
【００２６】
キャリッジ３２０の液体吐出ヘッド３２１は、インク等の液体を吐出するための複数のノズルを有しており、その吐出面（ノズル面）が、印刷用紙側を向くようにキャリッジ３２０に設けられている。液体吐出ヘッド３２１は、主走査方向に移動しながら、副走査方向に間欠的に搬送される印刷用紙に液体を吐出することで、印刷用紙の所定位置に液体を吐出して画像を形成する。液体吐出ヘッドドライバ３２２は、液体吐出ヘッド３２１の駆動を制御するためのドライバである。操作パネル３３２は、タッチパネル及びアラームランプ等を備えており、現在の設定値又は選択画面等を表示し、操作者からの入力を受け付ける。
【００２７】
なお、液体吐出ヘッドドライバ３２２は、キャリッジ３２０外からバスラインに接続するように設けてもよい。また、主走査ドライバ３１３、副走査ドライバ３１２、及び液体吐出ヘッドドライバ３２２は、それぞれＣＰＵ３０１がプログラムを実行することで、ソフトウェアで実現する機能でもよい。
【００２８】
（携帯端末装置のハードウェア構成）
図４は、例えばスマートフォン等の携帯端末装置４のハードウェア構成を示す図である。図４に示すように、携帯端末装置４は、ＣＰＵ４０１、ＲＯＭ４０２、ＲＡＭ４０３、ＥＥＰＲＯＭ４０４、ＣＭＯＳセンサ４０５、撮像素子Ｉ／Ｆ４０６、加速度・方位センサ４０７、メディアＩ／Ｆ４０９、ＧＰＳ（Global  Positioning  System）受信部４１１を備えている。
【００２９】
ＣＰＵ４０１は、携帯端末装置４全体の動作を制御する。ＲＯＭ４０２は、ＣＰＵ４０１又はＩＰＬ等のＣＰＵ４０１の駆動に用いられるプログラムを記憶する。ＲＡＭ４０３は、ＣＰＵ４０１のワークエリアとして使用される。ＥＥＰＲＯＭ４０４は、ＣＰＵ４０１の制御に従って、携帯端末用プログラム等の各種データの読み出し又は書き込みを行う。ＣＭＯＳ(Complementary  Metal  Oxide  Semiconductor)センサ４０５は、ＣＰＵ４０１の制御に従って被写体からの撮像光に対応する画像データを形成する。なお、ＣＭＯＳセンサ以外に、例えばＣＣＤ(Charge  Coupled  Device)イメージセンサ等の、他の撮像手段を用いてもよい。
【００３０】
撮像素子Ｉ／Ｆ４０６は、ＣＭＯＳセンサ４０５をバスライン４１０に接続するためのインタフェースである。加速度・方位センサ４０７は、地磁気を検知する電子磁気コンパス、ジャイロコンパス又は加速度センサ等の各種センサである。メディアＩ／Ｆ４０９は、例えばフラッシュメモリ等の記録メディア４０８をバスライン４１０に接続するためのインタフェースである。記録メディア４０８には、このメディアＩ／Ｆ４０９を介してデータの書き込み及び読み出しが行われる。ＧＰＳ受信部４１１は、ＧＰＳ衛星からＧＰＳ信号を受信する。
【００３１】
また、携帯端末装置４は、通信回路４１２、ＣＭＯＳセンサ４１３、撮像素子Ｉ／Ｆ４１４、マイクロホン部４１５、スピーカ部４１６、音入出力Ｉ／Ｆ４１７、ディスプレイ４１８、外部機器接続Ｉ／Ｆ(Interface)４１９、近距離通信回路４２０、近距離通信回路４２０のアンテナ４２０ａ、及びタッチパネル４２１を備えている。
【００３２】
通信回路４１２は、通信ネットワーク１００を介して、他の機器と間で通信を行う。ＣＭＯＳセンサ４１３は、ＣＰＵ４０１の制御に従って被写体を撮像して画像データを形成する。撮像素子Ｉ／Ｆ４１４は、ＣＭＯＳセンサ４１３をバスライン４１０に接続するインタフェースである。マイクロホン部４１５は、集音した音声に対応する電気信号である音声信号を形成する。スピーカ部４１６は、音声信号に対応する音楽又は音声等の音響出力を発音する。音入出力Ｉ／Ｆ４１７は、ＣＰＵ４０１の制御に従ってマイクロホン部４１５及びスピーカ部４１６との間で音声信号の入出力を処理する。
【００３３】
液晶表示部又は有機ＥＬ(Electro  Luminescence)表示部等のディスプレイ４１８は、被写体の画像又は各種アイコン等を表示する。外部機器接続Ｉ／Ｆ４１９は、各種の外部機器を接続するためのインタフェースである。近距離通信回路４２０は、ＮＦＣ又はＢｌｕｅｔｏｏｔｈ（登録商標）等の通信回路である。タッチパネル４２１は、ディスプレイ４１８上に設けられており、利用者の接触操作を検出する。
【００３４】
また、携帯端末装置４は、バスライン４１０を備えている。バスライン４１０は、図４に示すＣＰＵ４０１等の各構成要素を電気的に接続するためのアドレスバス又はデータバス等である。
【００３５】
（サーバ装置のハードウェア構成）
図５は、サーバ装置１０のハードウェア構成を示す図である。なお、パーソナルコンピュータ装置５のハードウェア構成も、このサーバ装置１０のハードウェア構成と同様である。このため、パーソナルコンピュータ装置５のハードウェア構成は、以下のサーバ装置１０のハードウェア構成の説明を参照されたい。
【００３６】
図５に示すように、サーバ装置１０は、パーソナルコンピュータ装置と同様の構成を有しており、ＣＰＵ５０１、ＲＯＭ５０２及びＲＡＭ５０３を有している。また、サーバ装置１０は、ＨＤＤ(Hard  Disk  Drive)５０４、ＨＤＤコントローラ５０５、ディスプレイ５０６、外部機器接続Ｉ／Ｆ５０８、ネットワークＩ／Ｆ５０９、バスライン５１０、キーボード５１１及びメディアＩ／Ｆ５１６を備えている。
【００３７】
ＣＰＵ５０１は、サーバ装置１０全体の動作を制御する。ＲＯＭ５０２は、ＩＰＬ等のＣＰＵ５０１の駆動に用いられるプログラムを記憶する。ＲＡＭ５０３は、ＣＰＵ５０１のワークエリアとして使用される。ＨＤＤ５０４は、プログラム等の各種データを記憶する。ＨＤＤコントローラ５０５は、ＣＰＵ５０１の制御にしたがってＨＤＤ５０４に対する各種データの書き込み及び読み出しを制御する。ディスプレイ５０６は、カーソル、メニュー、ウィンドウ、文字、又は画像などの各種情報を表示する。
【００３８】
外部機器接続Ｉ／Ｆ５０８は、例えばＵＳＢ(Universal  Serial  Bus)メモリ又はプリンタ装置等の各種の外部機器を接続するためのインタフェースである。ネットワークＩ／Ｆ５０９は、通信ネットワーク１００を利用してデータ通信をするためのインタフェースである。バスライン５１０は、ＣＰＵ５０１等の各構成要素を電気的に接続するためのアドレスバスライン又はデータバスライン等である。
【００３９】
また、キーボード５１１は、複数のキーを備えており、文字、数値、各種指示等の入力を行う。ポインティングデバイス５１２は、各種指示の選択、実行、処理対象の選択、又は、カーソルの移動等の入力操作を行う。メディアＩ／Ｆ５１６は、フラッシュメモリ等の記録メディア５１５に対するデータの書き込み（記憶）又は読み出しを制御する。
【００４０】
（全天球撮影装置のハードウェア構成）
次に、図６は、全天球撮影装置６のハードウェア構成を示す図である。この図６に示す全天球撮影装置６は、一例として、第１の撮像素子６０３ａ及び第２の撮像素子６０３ｂの２つの撮像素子を有している。なお、この例では、２つの撮像素子６０３ａ、６０３ｂが設けられていることとして説明を進めるが、３つ以上の撮像素子を設けてもよい。また、必ずしも全方位撮影専用の装置である必要はなく、通常のデジタルカメラ装置又はスマートフォンのカメラ部等に、後付けの全方位の撮像ユニットを取り付けることで、実質的に全天球撮影装置６と同じ機能を有するようにしてもよい。
【００４１】
図６に示すように、全天球撮影装置６は、撮像ユニット６０１、画像処理ユニット６０４、撮像制御ユニット６０５、マイクロホン部６０８、音処理ユニット６０９、ＣＰＵ６１１、ＲＯＭ６１２、ＳＲＡＭ６１３及びＤＲＡＭ６１４を有する。また、全天球撮影装置６は、操作部６１５、外部機器接続Ｉ／Ｆ６１６、通信回路６１７、アンテナ６１７ａ、電子コンパス及びジャイロセンサ等の加速度・方位センサ６１８を有している。
【００４２】
撮像ユニット６０１は、それぞれ半球画像を結像するための１８０°以上の画角を有する広角レンズ（いわゆる魚眼レンズ）６０２ａ，６０２ｂと、各広角レンズに対応して設けられた第１及び第２の撮像素子６０３ａ，６０３ｂを備えている。各撮像素子６０３ａ，６０３ｂは、広角レンズ６０２ａ，６０２ｂを介して取得した光学像を、電気信号の画像データに変換して出力するＣＭＯＳセンサ又はＣＣＤイメージセンサ等の画像センサである。各撮像素子６０３ａ，６０３ｂは、水平同期信号、垂直同期信号及び画素クロック等を生成するタイミング生成回路を有している。また、各撮像素子６０３ａ，６０３ｂは、動作に必要な種々のコマンド又はパラメータ等が設定されるレジスタ群等を有している。
【００４３】
撮像ユニット６０１の各撮像素子６０３ａ，６０３ｂは、画像処理ユニット６０４に対しては、パラレルＩ／Ｆバスで接続されている。これに対して、撮像ユニット６０１の各撮像素子６０３ａ，６０３ｂは、撮像制御ユニット６０５に対しては、シリアルＩ／Ｆバス（Ｉ２Ｃ（Inter  Integrated  Circuit）バス等）で接続されている。
【００４４】
画像処理ユニット６０４、撮像制御ユニット６０５及び音処理ユニット６０９は、バスライン６１０を介してＣＰＵ６１１と接続されている。バスライン６１０には、ＲＯＭ６１２、ＳＲＡＭ６１３、ＤＲＡＭ６１４、操作部６１５、外部機器接続Ｉ／Ｆ６１６、通信回路６１７及び加速度・方位センサ６１８等も接続される。
【００４５】
画像処理ユニット６０４は、各撮像素子６０３ａ，６０３ｂから出力される画像データを、パラレルＩ／Ｆバスラインを介して取得し、所定のデータ処理を施した後、合成処理して、正距円筒射影画像のデータを作成する。
【００４６】
撮像制御ユニット６０５は、マスタデバイスとして動作し、スレーブデバイスである各撮像素子６０３ａ，６０３ｂのレジスタ群に対して、ＣＰＵ６１１から取得したコマンド等を、Ｉ２Ｃバスラインを介して設定する。また、撮像制御ユニット６０５は、各撮像素子６０３ａ，６０３ｂのレジスタ群のステータスデータ等を、Ｉ２Ｃバスラインを介して取得し、ＣＰＵ６１１に転送する。
【００４７】
また、撮像制御ユニット６０５は、操作部６１５のシャッターボタンが操作されたタイミングで、各撮像素子６０３ａ，６０３ｂに画像データの出力を指示する。全天球撮影装置６は、例えばスマートフォンのディスプレイ等によるプレビュー表示機能、又は、動画表示に対応する機能を有していてもよい。この場合は、各撮像素子６０３ａ，６０３ｂからの画像データの出力は、所定のフレームレート（フレーム／分）で連続して行われる。
【００４８】
また、撮像制御ユニット６０５は、ＣＰＵ６１１と共に、各撮像素子６０３ａ，６０３ｂの画像データの出力タイミングの同期制御を行う。なお、全天球撮影装置６に対して表示部を設けてもよい。
【００４９】
マイクロホン部６０８は、集音した音声を音声データに変換する。音処理ユニット６０９は、マイクロホン部６０８から出力される音声データを、Ｉ／Ｆバスラインを介して取得し、音声データに対して所定のデータ処理を施す。
【００５０】
ＣＰＵ６１１は、全天球撮影装置６の全体の動作を制御すると共に、必要な処理を実行する。ＲＯＭ６１２は、ＣＰＵ６１１のための種々のプログラムを記憶している。ＳＲＡＭ６１３及びＤＲＡＭ６１４はワークメモリであり、ＣＰＵ６１１で実行するプログラム及び処理途中のデータ等を記憶する。特にＤＲＡＭ６１４は、画像処理ユニット６０４での処理途中の画像データ及び処理済みの正距円筒射影画像のデータを記憶する。
【００５１】
操作部６１５は、シャッターボタン６１５ａなどの操作ボタンを備えている。ユーザは操作部６１５を操作することで、種々の撮影モード及び撮影条件等の入力を行う。外部機器接続Ｉ／Ｆ６１６は、例えばＵＳＢメモリ又はパーソナルコンピュータ装置等の外部機器を接続するためのインタフェースである。ＤＲＡＭ６１４に記憶された正距円筒射影画像のデータは、この外部機器接続Ｉ／Ｆ６１６を介して接続されている記録機器により、メディアに記録される。また、ＤＲＡＭ６１４に記憶された正距円筒射影画像のデータは、必要に応じて通信回路６１７により、スマートフォン等の外部端末装置に送信される。
【００５２】
通信回路６１７は、全天球撮影装置６に設けられたアンテナ６１７ａを介して、Ｗｉ−Ｆｉ、ＮＦＣ(Near  Field  Communication)やＢｌｕｅｔｏｏｔｈ（登録商標）等の近距離無線通信を行う。
【００５３】
加速度・方位センサ６１８は、地球の磁気から全天球撮影装置６の方位を算出し、方位情報を出力する。この方位情報は、画像保存形式のＥｘｉｆ（Exchangeable  Image  File  Format）に規定される関連情報（メタデータ）の一例であり、撮影画像の画像補正等の画像処理に利用される。なお、関連情報には、画像の撮影日時、及び画像データのデータ容量の各データも含まれている。
【００５４】
また、加速度・方位センサ６１８は、全天球撮影装置６の移動に伴う角度の変化（Ｒｏｌｌ角、Ｐｉｔｃｈ角、Ｙａｗ角）を検出する。角度の変化はＥｘｉｆに沿った関連情報（メタデータ）の一例であり、撮像画像の画像補正等の画像処理に利用される。更に、加速度・方位センサ６１８は、３軸方向の加速度を検出する。全天球撮影装置６は、加速度・方位センサ６１８が検出した加速度に基づいて、自装置（全天球撮影装置６）の姿勢（重力方向に対する角度）を算出する。全天球撮影装置６に、加速度・方位センサ６１８を設けることで、画像補正精度の向上を図ることができる。
【００５５】
（ビデオ会議端末装置のハードウェア構成）
図７は、ビデオ会議端末装置７のハードウェア構成を示す図である。この図７に示すように、ビデオ会議端末装置７は、ＣＰＵ７０１、ＲＯＭ７０２、ＲＡＭ７０３、フラッシュメモリ７０４、ＳＳＤ（Solid  State  Drive）７０５、メディアＩ／Ｆ７０７、操作ボタン７０８、電源スイッチ７０９及びバスライン７１０を有している。また、ビデオ会議端末装置７は、ネットワークＩ／Ｆ７１１、カメラ部（例えば、ＣＭＯＳイメージセンサ）７１２、撮像素子Ｉ／Ｆ７１３、マイクロホン部７１４、スピーカ部７１５、音入出力Ｉ／Ｆ７１６、ディスプレイＩ／Ｆ７１７、外部機器接続Ｉ／Ｆ７１８、近距離通信回路７１９及び近距離通信回路７１９のアンテナ７１９ａを備えている。
【００５６】
ＣＰＵ７０１は、ビデオ会議端末装置７全体の動作を制御する。ＲＯＭ７０２は、ＩＰＬ等のＣＰＵ７０１の駆動に用いられるプログラムを記憶する。ＲＡＭ７０３は、ＣＰＵ７０１のワークエリアとして使用される。フラッシュメモリ７０４は、通信用プログラム、画像データ、及び音データ等の各種データを記憶する。ＳＳＤ７０５は、ＣＰＵ７０１の制御にしたがってフラッシュメモリ７０４に対する各種データの読み出し又は書き込みを制御する。なお、ＳＳＤ７０５に代えてＨＤＤを用いてもよい。
【００５７】
メディアＩ／Ｆ７０７は、フラッシュメモリ等の記録メディア７０６に対するデータの書き込み及び読み出しを制御する。操作ボタン７０８は、ビデオ会議端末装置７の宛先を選択する場合等に操作されるボタンである。電源スイッチ７０９は、ビデオ会議端末装置７の電源のＯＮ／ＯＦＦ操作を行うためのスイッチである。
【００５８】
また、ネットワークＩ／Ｆ７１１は、インターネット等の通信ネットワーク１００を利用してデータ通信をするためのインタフェースである。ＣＭＯＳイメージセンサ又はＣＣＤイメージセンサ等のカメラ部７１２は、ＣＰＵ７０１の制御に従って被写体を撮像して画像データを形成する。撮像素子Ｉ／Ｆ７１３は、カメラ部７１２をバスライン７１０に接続するためのインタフェースである。
【００５９】
マイクロホン部７１４は、集音した音声を電気信号である音声信号に変換する。スピーカ部７１５は、電気信号である音声信号に対応する音声を出力する。音入出力Ｉ／Ｆ７１６は、ＣＰＵ７０１の制御に従ってマイクロホン部７１４及びスピーカ部７１５との間で音声信号の入出力を処理する。ディスプレイＩ／Ｆ７１７は、ＣＰＵ７０１の制御に従って外付けのディスプレイに画像データを送信する。外部機器接続Ｉ／Ｆ７１８は、各種の外部機器を接続するためのインタフェースである。近距離通信回路７１９は、ＮＦＣ又はＢｌｕｅｔｏｏｔｈ（登録商標）等の通信回路である。また、バスライン７１０は、図２に示されているＣＰＵ７０１等の各構成要素を電気的に接続するためのアドレスバス又はデータバス等である。
【００６０】
ディスプレイ７２０は、例えば液晶表示部又は有機ＥＬディスプレイ等によって構成され、被写体の画像又は操作用アイコン等を表示する。また、ディスプレイ７２０は、接続ケーブルを介してディスプレイＩ／Ｆ７１７に接続される。接続ケーブルは、アナログＲ（赤）Ｇ（緑）Ｂ（青）信号用のケーブル（ＶＧＡ用のケーブル（ＶＧＡ：Video  Graphics  Array））でもよい。また、コンポーネントビデオ用のケーブルでもよいし、ＨＤＭＩ(High-Definition  Multimedia  Interface)（登録商標）又はＤＶＩ(Digital  Video  Interactive)信号用のケーブルでもよい。
【００６１】
なお、カメラ部７１２は、ＣＰＵ７０１の制御に従って被写体を撮像して画像データを形成する。カメラ部７１２としては、例えばＣＭＯＳイメージセンサ又はＣＣＤイメージセンサを用いることができる。外部機器接続Ｉ／Ｆ７１８には、ＵＳＢケーブル等によって、外付けのカメラ装置、外付けのマイクロホン装置及び外付けにスピーカ装置等の外部機器がそれぞれ接続可能である。例えば、外付けのカメラ装置が接続された場合、ＣＰＵ７０１の制御に従って、内蔵型のカメラ部７１２に優先して、外付けされたカメラ装置が駆動制御される。同様に、外付けのマイクロホン装置が接続された場合及び外付けのスピーカ装置が接続された場合も、ＣＰＵ７０１の制御に従って、それぞれが内蔵型のマイクロホン部７１４又は内蔵型のスピーカ部７１５に優先して、外付けのマイクロホン装置又は外付けのスピーカ装置が駆動制御される。
【００６２】
記録メディア７０６は、ビデオ会議端末装置７に対して着脱自在となっている。記録メディア７０６としては、ＣＰＵ７０１の制御に従って、データの書き込み及び読み出しが可能なフラッシュメモリ７０４又はＥＥＰＲＯＭ等の不揮発性メモリを用いることができる。
【００６３】
（プロジェクタ装置のハードウェア構成）
図８は、プロジェクタ装置８のハードウェア構成を示す図である。この図８に示すように、プロジェクタ装置８は、ＣＰＵ８０１、ＲＯＭ８０２、ＲＡＭ８０３、メディアＩ／Ｆ８０７、操作部８０８、電源スイッチ８０９、バスライン８１０及びネットワークＩ／Ｆ８１１を有している。また、プロジェクタ装置８は、ＬＥＤ（Light  Emitting  Diode）駆動回路８１４、ＬＥＤ光源８１５、投写デバイス８１６、投写レンズ８１７、外部機器接続Ｉ／Ｆ８１８、ファン駆動回路８１９及び冷却ファン８２０を有している。
【００６４】
ＣＰＵ８０１は、プロジェクタ装置８全体の動作を制御する。ＲＯＭ８０２は、ＣＰＵ８０１の駆動に用いられるプログラムを記憶する。ＲＡＭ８０３は、ＣＰＵ８０１のワークエリアとして使用される。メディアＩ／Ｆ８０７は、フラッシュメモリ等の記録メディア８０６を、バスライン８１０に接続する。これにより、記録メディア８０６に対するデータの書き込み及び読み出しが可能となる。
【００６５】
操作部８０８は、種々のキー、ボタン及びＬＥＤ等が配設されており、ユーザによるプロジェクタ装置８の電源のＯＮ／ＯＦＦ以外の各種操作に使用される。例えば、操作部８０８は、投写画像の大きさの調整操作、色調の調整操作、ピント調整操作、キーストン調整操作等の指示操作を受け付けて、受け付けた操作内容をＣＰＵ８０１に出力する。電源スイッチ８０９は、プロジェクタ装置８の電源のＯＮ／ＯＦＦを操作するためのスイッチである。
【００６６】
バスライン８１０は、ＣＰＵ８０１等の各構成要素を電気的に接続するためのアドレスバスライン又はデータバスライン等である。ネットワークＩ／Ｆ８１１は、インターネット等の通信ネットワーク１００を利用してデータ通信をするためのインタフェースである。ＬＥＤ駆動回路８１４は、ＣＰＵ８０１の制御下で、ＬＥＤ光源８１５の点灯及び消灯を制御する。ＬＥＤ光源８１５は、ＬＥＤ駆動回路８１４の制御によって点灯されると、投写光を投写デバイス８１６に照射する。
【００６７】
投写デバイス８１６は、外部機器接続Ｉ／Ｆ８１８等を介して与えられた画像データに基づいて、空間光変調方式によりＬＥＤ光源８１５からの投写光を変調して得た変調光を、投写レンズ８１７を介して、スクリーンの投写面へ画像として投写する。投写デバイス８１６としては、例えば液晶パネル又はＤＭＤ（Digital  Micromirror  Device）等を用いることができる。ＬＥＤ駆動回路８１４、ＬＥＤ光源８１５、投写デバイス８１６及び投写レンズ８１７は、全体として、画像データに基づいて投写面に投写画像を投写する投写部として機能する。
【００６８】
外部機器接続Ｉ／Ｆ８１８は、直接、ＰＣ(Personal  Computer)が接続され、ＰＣからの制御信号及び画像データを取得する。ファン駆動回路８１９は、ＣＰＵ８０１及び冷却ファン８２０に接続されており、ＣＰＵ８０１からの制御信号に基づいて、冷却ファン８２０の駆動／駆動停止を行う。冷却ファン８２０は、回転することで、プロジェクタ装置８内部の空気を排気して、プロジェクタ装置８内部を冷却する。
【００６９】
また、ＣＰＵ８０１は、電源電力が供給されると、ＲＯＭ８０２に予め記憶されている制御プログラムに従って動作し、ＬＥＤ駆動回路８１４に制御信号を供給してＬＥＤ光源８１５を点灯させる。また、ＣＰＵ８０１は、ファン駆動回路８１９に制御信号を供給して冷却ファン８２０を所定の定格回転数で回転させる。また、プロジェクタ装置８は、電源回路２１からの電源電力の供給が開始されると、投写デバイス８１６が画像表示可能状態になり、更に、他の種々の構成要素へ電源回路２１から電力が供給される。
【００７０】
また、プロジェクタ装置８は、電源スイッチ８０９がＯＦＦ操作されると、電源スイッチ８０９から電源ＯＦＦ信号がＣＰＵ８０１に供給される。ＣＰＵ８０１は、電源ＯＦＦ信号を検知すると、ＬＥＤ駆動回路８１４へ制御信号を供給して、ＬＥＤ光源８１５を消灯させる。ＣＰＵ８０１は、その後、所定時間が経過すると、冷却ファン８２０を停止させるようにファン駆動回路８１９を制御し、また、電源電力の供給を停止させるように、電源回路２１を制御する。
【００７１】
（ＭＦＰのハードウェア構成）
図９は、ＭＦＰ９のハードウェア構成を示す図である。この図９に示すように、ＭＦＰ９は、コントローラ９１０、近距離通信回路９２０、エンジン制御部９３０、操作パネル９４０、ネットワークＩ／Ｆ９５０を備えている。
【００７２】
コントローラ９１０は、ＣＰＵ９０１、システムメモリ（ＭＥＭ−Ｐ）９０２、ノースブリッジ（ＮＢ）９０３、サウスブリッジ（ＳＢ）９０４、ＡＳＩＣ(Application  Specific  Integrated  Circuit)９０６、ローカルメモリ（ＭＥＭ−Ｃ）９０７、ＨＤＤコントローラ９０８、及び、ＨＤＤ９０９を有している。ＮＢ９０３とＡＳＩＣ９０６との間は、ＡＧＰ(Accelerated  Graphics  Port)バス９２１で接続されている。
【００７３】
ＣＰＵ９０１は、ＭＦＰ９の全体制御を行う制御部である。ＮＢ９０３は、ＣＰＵ９０１と、ＭＥＭ−Ｐ９０２、ＳＢ９０４、及びＡＧＰバス９２１とを接続するためのブリッジである。ＮＢ９０３は、ＭＥＭ−Ｐ９０２に対する読み書きなどを制御するメモリコントローラと、ＰＣＩ(Peripheral  Component  Interconnect)マスタ及びＡＧＰターゲットとを有する。
【００７４】
ＭＥＭ−Ｐ９０２は、メモリコントローラの各機能を実現させるプログラム又はデータの格納用メモリであるＲＯＭ９０２ａ、プログラム又はデータの展開、及びメモリ印刷時の描画用メモリ等に用いられるＲＡＭ９０２ｂを有する。なお、ＲＡＭ９０２ｂに記憶されているプログラムは、インストール可能な形式又は実行可能な形式のファイルでＣＤ−ＲＯＭ、ＣＤ−Ｒ、ＤＶＤ等のコンピュータで読み取り可能な記録媒体に記録して提供してもよい。
【００７５】
ＳＢ９０４は、ＮＢ９０３とＰＣＩデバイス、周辺デバイスとを接続するためのブリッジである。ＡＳＩＣ９０６は、画像処理用のハードウェア要素を有する画像処理用途向けのＩＣ(Integrated  Circuit)であり、ＡＧＰバス９２１、ＰＣＩ（Peripheral  Component  Interconnect）バス９２２、ＨＤＤコントローラ９０８及びＭＥＭ−Ｃ９０７をそれぞれ接続するブリッジの役割を有する。
【００７６】
このＡＳＩＣ９０６は、ＰＣＩターゲット及びＡＧＰマスタ、ＡＳＩＣ９０６の中核をなすアービタ（ＡＲＢ）及びＭＥＭ−Ｃ９０７を制御するメモリコントローラを有する。また、ＡＳＩＣ９０６は、ハードウェアロジック等により画像の回転等を行う複数のＤＭＡＣ(Direct  Memory  Access  Controller)、並びに、スキャナ部９３１及びプリンタ部９３２との間でＰＣＩバス９２２を介したデータ転送を行うＰＣＩユニットを有する。なお、ＡＳＩＣ９０６には、ＵＳＢインタフェース又はＩＥＥＥ１３９４(Institute  of  Electrical  and  Electronics  Engineers  1394）のインタフェースを接続してもよい。
【００７７】
ＭＥＭ−Ｃ９０７は、コピー用画像バッファ及び符号バッファとして用いるローカルメモリである。ＨＤＤ９０９は、画像データの蓄積、印刷時に用いるフォントデータの蓄積、フォームの蓄積を行うためのストレージである。ＨＤＤ９０９は、ＣＰＵ９０１の制御にしたがってＨＤＤ９０９に対するデータの書き込み及び読み出しを制御する。ＡＧＰバス９２１は、グラフィック処理を高速化するために提案されたグラフィックスアクセラレータカード用のバスインタフェースである。ＡＧＰバス９２１は、ＭＥＭ−Ｐ９０２に高スループットで直接アクセスすることで。グラフィックスアクセラレータカードを高速にすることができる。
【００７８】
近距離通信回路９２０には、近距離通信回路９２０を有している。近距離通信回路９２０は、ＮＦＣ、Ｂｌｕｅｔｏｏｔｈ（登録商標）等の通信回路である。更に、エンジン制御部９３０は、スキャナ部９３１及びプリンタ部９３２を有している。
【００７９】
操作パネル９４０は、現在の設定値又は選択画面等を表示し、操作者からの入力を受け付けるタッチパネル等のパネル表示部９４０ａを有している。また、操作パネル９４０は、濃度の設定条件等の画像形成に関する条件の設定値の入力を行うためのテンキー及びコピー開始を指示するためのスタートキー等を備えた操作パネル９４０ｂを有している。
【００８０】
コントローラ９１０は、ＭＦＰ９全体の制御を行い、例えば描画制御、通信制御、操作パネル９４０からの入力の処理等を行う。スキャナ部９３１又はプリンタ部９３２は、誤差拡散処理及びガンマ変換処理等の画像処理機能を有している。
【００８１】
なお、ＭＦＰ９は、操作パネル９４０のアプリケーション切り替えキーにより、ドキュメントボックス機能、コピー機能、プリンタ機能、及びファクシミリ機能を順次に切り替えて実行可能となっている。ＭＦＰ９は、ドキュメントボックス機能の選択時にはドキュメントボックスモードとなり、コピー機能の選択時にはコピーモードとなる。また、ＭＦＰ９は、プリンタ機能の選択時にはプリンタモードとなり、ファクシミリモードの選択時にはファクシミリモードとなる。
【００８２】
ネットワークＩ／Ｆ９５０は、通信ネットワーク１００を利用してデータ通信をするためのインタフェースである。近距離通信回路９２０及びネットワークＩ／Ｆ９５０は、ＰＣＩバス９２２を介して、ＡＳＩＣ９０６に電気的に接続されている。
【００８３】
（ネットワーク接続構成）
次に、実施の形態のネットワーク通信システム１は、ネットワーク機器から画像処理装置（情報処理装置でもよい）にログ情報を送信して記録（保存）する。この際、画像処理装置は、ネットワーク機器に対して、例えば処理モードの通知、又は画像処理装置のログ情報を保存する記録領域の大きさ（容量）の通知等の、画像処理装置の状態通知を行う。ネットワーク機器は、画像処理装置の状態に応じて、ログ情報の詳細度又は送出頻度を変更する。これにより、画像処理装置が指定した処理モードで、ネットワーク機器からログ情報を取得でき、不要なログ情報が保存され又は転送される不都合を防止することができる。
【００８４】
一例をあげて説明すると、図１０は、実施の形態のネットワーク通信システム１におけるＭＦＰ９のネットワーク接続構成を示す図である。実施の形態のネットワーク通信システム１は、互いに通信できないように分離された複数のネットワークにルータ装置が設けられていることを前提として、直接接続されているネットワーク以外のネットワークへの経路についても制御する。これにより、複数のネットワーク間でルータ装置を介した通信が可能となり、ＭＦＰ９等の画像処理装置を大規模なネットワークで利用可能としている。
【００８５】
（ネットワーク接続構成）
すなわち、図１０において、ＭＦＰ９（画像処理装置の一例）は、通信制御ボックス９７１（ネットワーク機器の一例）を介して、ネットワークＮｅｔ＿Ａ０に接続されている。また、ＭＦＰ９は、通信制御ボックス９７１及びＶＬＡＮ（Virtual  Local  Area  Network）対応スイッチ９７０を介してネットワークＮｅｔ＿Ｂ０及びネットワークＮｅｔ＿Ｃ０に接続されている。ＭＦＰ９のネットワークインタフェースは、「００-００-５Ｅ-００-５３-２２」のＭＡＣアドレスを有している。
【００８６】
ネットワークＮｅｔ＿Ａ０，Ｎｅｔ＿Ｂ０，Ｎｅｔ＿Ｃ０は、ルータＲ＿Ａ，Ｒ＿Ｂ，Ｒ＿Ｃを介して、ネットワークＮｅｔ＿Ａ１，Ｎｅｔ＿Ｂ１，Ｎｅｔ＿Ｃ１に、それぞれ接続されている。また、ネットワークＮｅｔ＿Ｉは、ルータＲ＿Ｃを介してネットワークＮｅｔ＿Ｃ０及びネットワークＮｅｔ＿Ｃ１と接続されている。また、ネットワークＮｅｔ＿Ｃ０及びＮｅｔ＿Ｃ１は、ルータＲ＿Ｃ及びネットワークＮｅｔ＿Ｉを介して、インターネットに接続されている。なお、この例の場合、ネットワークＮｅｔ＿Ａ、及び、ネットワークＮｅｔ＿Ｂは、通信セキュリティを考慮して、インターネットには、接続できない構成となっているが、両者をインターネットに接続可能としてもよい。
【００８７】
また、ネットワークＮｅｔ＿Ｂ０、Ｎｅｔ＿Ｃ０はＶＬＡＮ対応スイッチ９７０にそれぞれ接続されている。ＶＬＡＮ対応スイッチ９７０のポートは、一例としてＶＬＡＮ１０及びＶＬＡＮ３０に対応している。ＶＬＡＮ対応スイッチ９７０はトランクポートを通信制御ボックス９７１に接続している。
【００８８】
ここで、ＭＦＰ９に接続されるネットワークは、ネットワークＮｅｔ＿Ａ０，Ｎｅｔ＿Ａ１をグループとしたＮｅｔ＿Ａ系、ネットワークＮｅｔ＿Ｂ０，Ｎｅｔ＿Ｂ１をグループとしたＮｅｔ＿Ｂ系、ネットワークＮｅｔ＿Ｃ０，Ｎｅｔ＿Ｃ１，Ｎｅｔ＿ＩをグループとしたＮｅｔ＿Ｃ系に分割されている。各系のネットワークの間は、ＩＰ（Internet  Protocol）通信ができないように分離されている。なお、この例では、各系のネットワーク間で、ＩＰ（Internet  Protocol）通信ができないように分離されていることとして説明を進めるが、セキュリティの要件等に応じて、各系のネットワーク間で通信可能としてもよい。
【００８９】
ネットワークＮｅｔ＿Ａ０、Ｎｅｔ＿Ｂ０及びＮｅｔ＿Ｃ０には、パーソナルコンピュータ装置ＰＣ＿Ａ０、ＰＣ＿Ｂ０及びＰＣ＿Ｃ０が、それぞれ接続されている。また、  ネットワークＮｅｔ＿Ａ１には、パーソナルコンピュータ装置ＰＣ＿Ａ１、及び、サーバ装置ＳＶ＿Ａ１が接続されている。また、  ネットワークＮｅｔ＿Ｂ１には、パーソナルコンピュータ装置ＰＣ＿Ｂ１、及び、サーバ装置ＳＶ＿Ｂ１が接続されている。また、また、  ネットワークＮｅｔ＿Ｃ１には、パーソナルコンピュータ装置ＰＣ＿Ｃ１、及び、サーバ装置ＳＶ＿Ｃ１が接続されている。
【００９０】
パーソナルコンピュータ装置ＰＣ＿Ａ１等の各パーソナルコンピュータ装置は、ＭＦＰ９に対して、印刷要求及びＳＮＭＰ（simple  network  management  protocol）での機器情報の送信等を行う。ＭＦＰ９は、サーバ装置ＳＶ＿Ａ１等にスキャン処理で形成したファイル情報の転送等を行う。なお、この例で説明した印刷要求、ＳＮＭＰでの機器情報の送信、及び、スキャン処理したファイル情報の転送等は、一例であり、これら以外の通信でもよい。
【００９１】
通信制御ボックス９７１は、ネットワークＮｅｔ＿Ａ系、ネットワークＮｅｔ＿Ｂ系及びネットワークＮｅｔ＿Ｃ系の各系間の通信を制限したうえで、ネットワークＮｅｔ＿Ａ系とＭＦＰ９との間の通信、ネットワークＮｅｔ＿Ｂ系とＭＦＰ９との間の通信、及び、ネットワークＮｅｔ＿ＣとＭＦＰ９との間の通信を可能とする。
【００９２】
次に、各ネットワークのネットワークアドレスは、一例として、以下の表１に示すようになっている。
【００９３】
【表１】
2020149245.tif 000003
【００９４】
この表１に示すように、ネットワークＮｅｔ＿Ａ０のネットワークアドレスは、「１９２．１６８．１．０／２４」となっている。ネットワークＮｅｔ＿Ａ１のネットワークアドレスは、「１９２．１６８．１０．０／２４」となっている。ネットワークＮｅｔ＿Ｂ０のネットワークアドレスは、「１７２．１６．１．０／２４」となっている。ネットワークＮｅｔ＿Ｂ１のネットワークアドレスは、１７２．１６．１０．０／２４」となっている。ネットワークＮｅｔ＿Ｃ０のネットワークアドレスは、「１０．０．１．０／２４」となっている。ネットワークＮｅｔ＿Ｃ１のネットワークアドレスは、「１０．０．１０．０／２４」となっている。ネットワークＮｅｔ＿Ｉのネットワークアドレスは、「２０３．０．１１３．０／２９」となっている。なお、ネットワークＮｅｔ＿Ｉは、インターネット接続を図るためのセグメントとなっている。
【００９５】
また、一例ではあるが、この表１に示すようにネットワークＮｅｔ＿Ｂ０は、ＶＬＡＮ１０の通信プロトコルでの通信が可能となっており、ネットワークＮｅｔ＿Ｃ０は、ＶＬＡＮ３０の通信プロトコルでの通信が可能となっている。
【００９６】
この表１に示すように、各ネットワークのネットワークアドレスは、重複しないように設定されている。実際には、このような設定例以外であっても、ＭＦＰ９と直接通信するサーバ装置のＩＰアドレスが重複しなければよい。また、直接通信するサーバ装置のＩＰアドレスが重複している場合でも、静的なＮＡＰＴ（Network  Address  Port  Translation）設定がされていればよい。
【００９７】
次に、以下の表２に、システム全体のＩＰアドレスと設定を示す。
【００９８】
【表２】
2020149245.tif 000004
【００９９】
この表２に示すように、ＭＦＰ９のＩＰアドレスは、「１９２．１６８．１．１０／２４」、デフォルトゲートウェイは「１９２．１６８．１．１／２４」となっている。パーソナルコンピュータ装置ＰＣ＿Ａ０のＩＰアドレスは、「１９２．１６８．１．１００／２４」となっており、デフォルトゲートウェイは、「１９２．１６８．１．１／２４」となっている。ルータＲ＿ＡのＩＰアドレスは、「１９２．１６８．１．１／２４」となっており、サブネットマスクは、「１９２．１６８．１０．１／２４」となっている。
【０１００】
パーソナルコンピュータ装置ＰＣ＿Ａ１のＩＰアドレスは、「１９２．１６８．１０．１００／２４」となっており、デフォルトゲートウェイは、「１９２．１６８．１０．１／２４」となっている。また、サーバ装置ＳＶ＿Ａ１のＩＰアドレスは、「１９２．１６８．１０．１１／２４」となっており、デフォルトゲートウェイは、「１９２．１６８．１０．１／２４」となっている。また、パーソナルコンピュータ装置ＰＣ＿Ｂ０のＩＰアドレスは、「１７２．１６．１．１００／２４」となっており、デフォルトゲートウェイは、「１７２．１６．１．１／２４」となっている。
【０１０１】
ルータＲ＿ＢのＩＰアドレスは、「１７２．１６．１．１／２４」となっており、サブネットマスクは、「１７２．１６．１０．１／２４」となっている。また、パーソナルコンピュータ装置ＰＣ＿Ｂ１のＩＰアドレスは、「１７２．１６．１０．１００／２４」となっており、デフォルトゲートウェイは、「１７２．１６．１０．１／２４」となっている。また、サーバ装置ＳＶ＿Ｂ１のＩＰアドレスは、「１７２．１６．１０．１１／２４」となっており、デフォルトゲートウェイは、「１７２．１６．１０．１／２４」となっている。また、パーソナルコンピュータ装置ＰＣ＿Ｃ０のＩＰアドレスは、「１０．０．１．１００／２４」となっており、デフォルトゲートウェイは、「１０．０．１．１／２４」となっている。
【０１０２】
また、インターネットにパケット情報の送信が可能となっているルータＲ＿ＣのＩＰアドレス及びサブネットマスクは、「１０．０．１．１／２４」、「１０．０．１０．１／２４」及び「２０３．０．１１３．２／２９」となっており、デフォルトゲートウェイは、「２０３．０．１１３．１／２９」となっている。また、パーソナルコンピュータ装置ＰＣ＿Ｃ１のＩＰアドレスは、「１０．０．１０．１００／２４」となっており、デフォルトゲートウェイは、「１０．０．１０．１／２４」となっている。また、サーバ装置ＳＶ＿Ｃ１は、ＩＰアドレスが「１０．０．１０．１１／２４」となっており、デフォルトゲートウェイが、「１０．０．１０．１／２４」となっている。
【０１０３】
この表２からわかるように、パーソナルコンピュータ装置及びサーバ装置には、それぞれ、ネットワークを介した通信を可能とするＩＰアドレスが1つずつ割り当てられている。ルータには、接続されている各ネットワークを介した通信が可能となるように、複数のＩＰアドレスが割り当てられている。なお、サーバ装置及びルータは、論理的には1台であっても、複数の機器により冗長構成としてもよい。
【０１０４】
（ＭＦＰ及び通信制御ボックスの機能）
図１１は、ＭＦＰ９及び通信制御ボックス９７１の各制御部（ＣＰＵ：Central  Processing  Unit）が、ＲＯＭ（Read-Only  Memory）、ＲＡＭ（Random-Access  Memory）又はＨＤＤ（Hard  Disk  Drive）等の記憶部に記憶されている通信制御プログラムをそれぞれ実行することで実現する機能を示している。
【０１０５】
すなわち、ＭＦＰ９のＣＰＵは、通信制御プログラムを実行することで、送受信部９８１、状態・ログ制御部９８２（状態通知部の一例）及びログ記憶部９８３の各機能を実現する。状態・ログ制御部９８２は、例えばセキュリティのモード等の設定に基づいて、ログ情報の冗長度及び記憶容量等を調整する。ログ記憶部９８３は、通信制御ボックス９７１から送信されるログ情報をＨＤＤ９０９等の記憶部に記憶する。送受信部９８１は、通信制御ボックス９７１との間において、ネットワークを介してメッセージ及びログ情報等の各種情報の送受信を行う。
【０１０６】
これに対して、通信制御ボックス９７１のＣＰＵは、通信制御プログラムを実行することで、第１の送受信部９８５、第２の送受信部９８６、第３の送受信部９８７（取得部及び送信部の一例）、ブリッジ通信制御部９８８、第１のＮＡＰＴ（Network  Address  Port  Translation）通信制御部９８９、及び、第２のＮＡＰＴ通信制御部９９０の各機能を実現する。また、通信制御ボックス９７１のＣＰＵは、タグ処理部９９１、ログ処理制御部９９２及びログ記憶部９９３の各機能を実現する。
【０１０７】
なお、ＭＦＰ９の送受信部９８１、状態・ログ制御部９８２及びログ記憶部９８３の各機能は、通信制御プログラムにより、ソフトウェア的に実現されることとしたが、一部又は全部を、ＩＣ（Integrated  Circuit）等のハードウェアで実現してもよい。同様に、通信制御ボックス９７１の第１の送受信部９８５〜第２のＮＡＰＴ通信制御部９９０は、通信制御プログラムにより、ソフトウェア的に実現されることとしたが、一部又は全部を、ＩＣ（Integrated  Circuit）等のハードウェアで実現してもよい。
【０１０８】
また、通信制御プログラムは、インストール可能な形式又は実行可能な形式のファイル情報でＣＤ−ＲＯＭ、フレキシブルディスク（ＦＤ）などのコンピュータ装置で読み取り可能な記録媒体に記録して提供してもよい。また、ＣＤ−Ｒ、ＤＶＤ（Digital  Versatile  Disk）、ブルーレイ（登録商標）ディスク、半導体メモリ等のコンピュータ装置で読み取り可能な記録媒体に記録して提供してもよい。また、通信制御プログラムは、インターネット等のネットワーク経由でインストールするかたちで提供してもよい。また、通信制御プログラムは、機器内のＲＯＭ等に予め組み込んで提供してもよい。
【０１０９】
各送受信部９８１、９８５〜９８７は、ネットワークを介して送信されるパケット情報を受信して送出する。各送受信部９８１、９８５〜９８７としては、例えばイーサネット（登録商標）通信を行うためのネットワークインタフェースでもよいし、また、ＰＣＩエクスプレスカードに対応するインタフェースでのよいし、ＵＳＢ（Universal  Serial  Bus）インタフェース等でもよい。
【０１１０】
ブリッジ通信制御部９８８は、各送受信部９８５〜９８７を介して受信したパケット情報の送出先を決定し、また、パケット情報の書き換え等を行う。各ＮＡＰＴ通信制御部９８９，９９０は、各送受信部９８５〜９８７を介して受信されたパケット情報の送出先を決定し、また、パケット情報の書き換え等を行う。各ＮＡＰＴ通信制御部９８９、９９０は、それぞれＮＡＰＴ処理用の、別のＮＡＰＴテーブルを有しており、このＮＡＰＴテーブルを用いて、ＩＰアドレスの変換及びポート番号の変換処理を行う（ＮＡＰＴ処理）。
【０１１１】
なお、各ＮＡＰＴ通信制御部９８９，９９０は、ルーティングテーブル、ＮＡＰＴテーブル、セッションテーブル(ＴＣＰ／ＵＤＰの、どのポートからどのポートに通信しているかを管理するテーブル)等のネットワークリソースが分離されている。すなわち、各ＮＡＰＴ通信制御部９８９，９９０は、それぞれ別々のネットワークリソースを有している。
【０１１２】
タグ処理部９９１は、ＶＬＡＮタグの付け外しを行う。すなわち、タグ処理部９９１は、予め設定されたポートに対して、対応する「ＶＬＡＮ識別情報（ＶＬＡＮ  ＩＤ（タグ））」をフレームに埋め込みを行い、また、フレームに埋め込まれているタグの除去を行う。なお、タグのついていないフレームが第２の送受信部９８６より転送されることもあるため、通信プロトコルによっては、必ずしもタグの埋め込みを行う必要はない。
【０１１３】
ログ処理制御部９９２（ログ情報生成部、処理モード変更部の一例）は、ＭＦＰ９から受信した状態通知に基づいて、ログ情報詳細レベルの設定又はログ情報の送信量の設定制御を行う。また、ログ処理制御部９９２は、生成したログ情報をログ記憶部９９３に書き込み制御する。
【０１１４】
（設定画面）
図１２は、通信制御ボックス９７１の基本設定画面の一例を示している。この基本設定画面は、例えば実施の形態のネットワーク通信システム１の管理者のパーソナルコンピュータ装置等に表示される。この図１２の例の場合、基本設定画面には、ＭＦＰ９のＩＰアドレス（この例の場合、ＩＰｖ４アドレス：Internet  protocol  version  4アドレス：ＩＰｖ６アドレスでもよい）の入力欄、ルータＲ＿Ａ〜ルータＲ＿Ｃ等のゲートウェイのＩＰアドレスの入力欄、ブリッジ通信制御部９８８のＩＰアドレスＢＲＩ＿Ａの入力欄等が設けられている。また、図１２の例の場合、基本設定画面には、タグＶＬＡＮを使用する場合にチェックを入れる（＝選択操作）チェックボックスと、ＶＬＡＮのセグメントに対するＶＬＡＮ  ＩＤの入力欄、ＩＰｖ４アドレスの入力欄、サブネットマスクの入力欄、及び、ゲートウェイの入力欄が設けられている。
【０１１５】
この図１２の例は、セグメント３及びセグメント４がＶＬＡＮのセグメントとして用いられ、それぞれＶＬＡＮ  ＩＤは「１０」、「３０」であり、ＩＰｖ４アドレスは、「１７２．１６．１．１０」、「１０．０．１．１０」であることを示している。また、セグメント３には、ＩＰアドレスが「１７２．１６．１．１」のルータＲ＿Ｂが用いられ、セグメント４には、ＩＰアドレスが「１０．０．１．１０」のルータＲ＿Ｃが用いられることを示している。
【０１１６】
また、図１３は、通信制御ボックス９７１のサーバ設定画面の一例を示している。このサーバ設定画面も、例えば実施の形態のネットワーク通信システム１の管理者のパーソナルコンピュータ装置等に表示される。この図１３の例の場合、サーバ装置ＳＶ＿Ａ１及びサーバ装置ＳＶ＿Ｂ１のＩＰアドレス（ＩＰｖ４アドレス）の入力欄が設けられている。このような設定画面で設定された値は、機器の通信制御に用いられる。
【０１１７】
なお、ＩＰアドレス、ネットマスク、ゲートウェイアドレス等は、ＤＨＣＰ（Dynamic  Host  Configuration  Protocol）で取得してもよい。また、ルータＲ＿ＡのＭＡＣアドレスは、ＩＰアドレスからイーサネット（登録商標）のＭＡＣアドレスを取得する通信プロトコルである、ＡＲＰ（Address  Resolution  Protocol）を用いて、通信制御ボックス９７１が、ルータＲ＿ＡのＩＰアドレスから取得している。同様に、ＭＦＰ９のＭＡＣアドレスも、ＭＦＰ９のＩＰアドレスを用いて取得している。勿論、ＭＡＣアドレスを、そのまま登録してもよい。ただ、ＭＡＣアドレスを登録せずに、ＩＰアドレスで管理する方が、システムを容易に運用可能となる。
【０１１８】
図１４は、ＭＦＰ９におけるセキュリティモードの選択・確認画面の一例を示している。実施の形態のネットワーク通信システム１の場合、画像処理装置の一例であるＭＦＰ９において、「セキュリティモード」というかたちで、ログ情報の処理モードを指定可能となっている。例えば、「セキュリティモード：高」の場合、通信制御ボックス９７１からの、多くのログ情報を記録する（記録するログ情報の情報量を増やす）ことで、高いセキュリティ性を維持可能となる。
【０１１９】
同様に、「セキュリティモード：低」の場合、通信制御ボックス９７１から送信されるログ情報が少なくなり、セキュリティ性は低くなるが、多くのログ情報でＭＦＰ９の処理負荷が大きくなり、また、ＭＦＰ９のログ記録部９８３の記憶領域が圧迫される不都合を防止できる。
【０１２０】
図１４の例は、「セキュリティモード：高」が選択された例である。このようにＭＦＰ９で選択されたログ情報の処理モードを示す情報は、通信制御ボックス９７１に通知される。通信制御ボックス９７１は、ＭＦＰ９から通知されたログ情報の処理モードに対応する情報量及び送信頻度で、ＭＦＰ９に対するログ情報の送信を行う。
【０１２１】
図１５は、ログ情報の処理モードの設定からログ情報の記録までの流れを示すフローチャートである。この図１５において、画像処理装置はＭＦＰ９に相当する。また、ネットワーク機器は、通信制御ボックス９７１に相当する。ＰＣは、ユーザのパーソナルコンピュータ装置である。
【０１２２】
図１５のフローチャートにおいて、ステップＳ１では、ユーザが、ＭＦＰ９の操作パネル９４０を介して、セキュリティモードの変更を指定操作する。これにより、ＭＦＰ９の状態・ログ制御部９８２は、図１４に示したＭＦＰ９のセキュリティモードの選択・確認画面を、操作パネル９４０に表示制御する。ユーザは、操作パネル９４０を操作することで、セキュリティモードの選択・確認画面に対して、所望のセキュリティモードの入力操作を行う。これにより、状態・ログ制御部９８２は、ユーザから指定されたセキュリティモードを、ＭＦＰ９に設定する（ステップＳ２）。図１５の例は、「セキュリティモード：高」が、ＭＦＰ９に設定された例を示している。
【０１２３】
次に、ＭＦＰ９の状態・ログ制御部９８２は、通信制御ボックス９７１に対して、ＭＦＰ９のセキュリティモードが変更されたことを示すモード変更通知（状態通知の一例）を送信する（ステップＳ３）。このモード変更通知は、ＭＦＰ９が受信を許可しているパケット情報及び受信を禁止しているパケット情報の変更等のログレベルの変更を示す通知となっている。これにより、求められるセキュリティの状態を設定でき、セキュリティに対して耐性を持たせることができる。
【０１２４】
通信制御ボックス９７１は、このようなモード変更通知を第３の送受信部９８７を介して受信する。ログ処理制御部９９２は、受信したモード変更通知に基づいて、ＭＦＰ９に送信するログ情報の送信形態を制御しているログモードの変更処理を行う（ステップＳ４）。図１５の例の場合、通信制御ボックス９７１のログ処理制御部９９２は、ＭＦＰ９に対して多くのログ情報を送信する形態に、ログモードの変更を行う。具体的には、通信制御ボックス９７１のログ処理制御部９９２は、ＭＦＰ９に対して送信するログ情報の送信頻度を変更する。このように、実施の形態のネットワーク通信システム１は、ログ情報の柔軟な設定が可能となっている。
【０１２５】
ログモードの変更が終了すると（ステップＳ５）、通信制御ボックス９７１の第３の送受信部９８７は、例えばログ情報が形成される毎にＭＦＰ９に対して送信する等のように、ＭＦＰ９から通知された情報量に対応するログ情報をＭＦＰに送信する（ステップＳ６）。
【０１２６】
ここで、通信制御ボックス９７１の第３の送受信部９８７は、ＭＦＰ９からのモード変更通知（ステップＳ３）により、ログ情報の送信頻度が低く設定されている場合であっても、ログ情報を記憶するログ記憶部９９３の記憶領域の残量が所定の残量以下となった場合には、ＭＦＰ９に対してログ情報の送信を行う。これにより、通信制御ボックス９７１のログ記憶部９９３が、ログ情報でオーバーフローする不都合を防止できる。
【０１２７】
次に、ユーザのパーソナルコンピュータ装置（ＰＣ）を介して指定された印刷ジョブを実行する場合におけるログ情報の処理の流れを説明する。通信制御ボックス９７１の第１の送受信部９８５又は第２の送受信部９８６を介して、パーソナルコンピュータ装置（ＰＣ）２７０から印刷要求を受信すると（ステップＳ７）、ログ処理制御部９９２は、この印刷実行に対応するログ情報を生成する（ステップＳ８）。通信制御ボックス９７１の第３の送受信部９８７は、生成されたログ情報を、印刷データと共にＭＦＰ９に送信する（ステップＳ９）。
【０１２８】
ここで、通信制御ボックス９７１の第３の送受信部９８７は、ＭＦＰ９からログ情報の送信頻度が高く設定されている場合であっても、パーソナルコンピュータ装置からの印刷データをＭＦＰ９に送信している間は、ＭＦＰ９に対するログ情報の送信を禁止する。すなわち、ＭＦＰ９に対する印刷データの送信中は、ＭＦＰ９に対してログ情報の送信は行わない。これにより、印刷データの処理及びログ情報の処理で、ＭＦＰ９の負荷が大きくなる不都合を防止できる。
【０１２９】
また、通信制御ボックス９７１の第３の送受信部９８７は、ＭＦＰ９からログ情報送信停止通知を受信すると、送信停止解除通知を受信するまでの間、ＭＦＰ９に対するログ情報の送信を停止する。これにより、ＭＦＰ９側において、負荷が大きな処理を行っている間は、ログ情報の受信を停止し、処理が完了した後に、ログ情報の受信を再開することができる。
【０１３０】
次に、ＭＦＰ９の状態・ログ制御部９８２は、通信制御ボックス９７１から受信したログ情報を、例えばＨＤＤ９０９等のログ記憶部９８３に記憶制御する。また、ＭＦＰ９の状態・ログ制御部９８２は、受信した印刷データに基づいてプリンタ部９３２を制御することで印刷を実行し、印刷が終了した際に印刷終了通知を通信制御ボックス９７１に送信する（ステップＳ１０）。
【０１３１】
印刷終了通知を受信した通信制御ボックス９７１のログ処理制御部９９２は、印刷終了に対応するログ情報を生成する（ステップＳ１１）。通信制御ボックス９７１の第１の送受信部９８５又は第２の送受信部９８６は、生成された印刷が終了のログ情報をパーソナルコンピュータ装置に送信する（ステップＳ１２）。また、通信制御ボックス９７１のログ処理制御部９９２は、パーソナルコンピュータ装置に印刷終了に対応するログ情報を送信したことを示すログ情報を生成する。第３の送受信部９８７は、生成されたログ情報をＭＦＰ９に送信する（ステップＳ１３）。ＭＦＰ９の状態・ログ制御部９８２は、上述のようにログ記憶部９８３に、ログ情報を記憶制御する。
【０１３２】
（実施の形態の効果）
以上の説明から明らかなように、実施の形態のネットワーク通信システム１は、通信制御ボックス９７１からＭＦＰ９にログ情報を送信して記録（保存）する。この際、ＭＦＰ９は、通信制御ボックス９７１に対して、例えば処理モードの通知、又はＭＦＰ９のログ情報を保存する記録領域の大きさ（容量）の通知等の、ＭＦＰ９の状態通知を行う。通信制御ボックス９７１は、ＭＦＰ９の状態に応じて、ログ情報の詳細度又は送出頻度を変更する。これにより、ＭＦＰ９が指定した処理モードで、ネットワーク機器からログ情報を取得でき、不要なログ情報が保存され又は転送される不都合を防止することができる。
【０１３３】
また、通信制御ボックス９７１及びＭＦＰ９は、共にログ情報を必要とすることが多いため、ログレベルを協調させることで、ユーザによる容易な管理運用を可能とすることができる。また、ログ情報の送出頻度を調整することで、ＭＦＰ９の処理負荷を適度な処理負荷に調整することができる。
【０１３４】
最後に、上述の各実施の形態は、一例として提示したものであり、本発明の範囲を限定することは意図していない。この新規な各実施の形態は、その他の様々な形態で実施されることが可能であり、発明の要旨を逸脱しない範囲で、種々の省略、置き換え、変更を行うことも可能である。また、実施の形態及び実施の形態の変形は、発明の範囲や要旨に含まれると共に、特許請求の範囲に記載された発明とその均等の範囲に含まれるものである。
【０１３５】
また、本発明は、情報処理技術分野における通常の知識を有した技術者であれば、ＡＳＩＣ（Application  Specific  Integrated  Circuits）や、従来の回路モジュールを接続して構成した装置によって実施することが可能である。
【０１３６】
また、上述の各実施の形態に記載された各機能は、それぞれ、一又は複数の処理回路（Circuit）によって実現することが可能である。なお、「処理回路」とは、ソフトウェアによって各機能を実行するようプログラムされたプロセッサ、各機能を実行するよう設計されたＡＳＩＣ、及び、回路モジュール等のハードウェアを含むものである。
【符号の説明】
【０１３７】
１  ネットワーク通信システム
９  複合機（ＭＦＰ）
９７１  通信制御ボックス
９８１  送受信部
９８２  状態・ログ制御部
９８３  ログ記憶部
９８５  第１の送受信部
９８６  第２の送受信部
９８７  第３の送受信部
９８８  ブリッジ通信制御部
９８９  第１のＮＡＰＴ通信制御部
９９０  第２のＮＡＰＴ通信制御部
９９１  タグ処理部
９９２  ログ処理制御部
９９３  ログ記憶部
【先行技術文献】
【特許文献】
【０１３８】
【特許文献１】特開２００２−１４９３８０号公報
【図１】
2020149245.tif 000005
【図２】
2020149245.tif 000006
【図３】
2020149245.tif 000007
【図４】
2020149245.tif 000008
【図５】
2020149245.tif 000009
【図６】
2020149245.tif 000010
【図７】
2020149245.tif 000011
【図８】
2020149245.tif 000012
【図９】
2020149245.tif 000013
【図１０】
2020149245.tif 000014
【図１１】
2020149245.tif 000015
【図１２】
2020149245.tif 000016
【図１３】
2020149245.tif 000017
【図１４】
2020149245.tif 000018
【図１５】
2020149245.tif 000019